(57)【特許請求の範囲】
【請求項１】
着信時にリンクチャネルを確立し、キャリアセンスを実行して通信に用いるキャリアおよびタイムスロットを選択する時分割多元接続方式によって基地局と通信可能な電話機本体と、該電話機本体と無線通信可能な出力装置とを備える電話機において、
前記電話機本体は、
基地局からの呼出しを受けた着信状態を検出する検出手段と、
所定のタイムスロットを使用して基地局との間で通信信号の送受信が可能であり、かつ前記検出手段の出力に応答して、基地局間で使用しているタイムスロットとは異なるタイムスロットを用いて着信状態であることを示す呼出信号を送信する送信手段とを含み、
前記出力装置は、
呼出信号を受信する受信手段と、
受信した呼出信号に基づいて、電話機が着信状態であることを出力する出力手段とを含むことを特徴とする電話機。
【請求項２】
前記電話機には、電話機を識別するための電話機識別情報が予め付されており、
前記電話機本体の送信手段は電話機識別情報を含む呼出信号を送信し、
前記出力装置は、
所定の電話機識別情報を設定する電話機識別情報設定手段と、
受信した電話機識別情報と、予め設定された電話機識別情報とが一致しているかどうかを判定する判定手段とを含み、
該出力装置の前記出力手段は、判定手段の判定結果に基づいて、電話機識別情報が一致しているときに着信状態であることを出力することを特徴とする請求項１記載の電話機。
【請求項３】
前記出力装置には、出力装置を識別するための出力装置識別情報が予め付されており、
前記電話機本体は、
所定の出力装置の出力装置識別情報を設定する出力装置識別情報設定手段を含み、
該電話機本体の前記送信手段は、設定された出力装置識別情報を含む呼出信号を送信し、
前記出力装置は、
受信した出力装置識別情報と、予め付された出力装置識別情報とが一致しているかどうかを判定する判定手段を含み、
該出力装置の前記出力手段は、判定手段の判定結果に基づいて、出力装置識別情報が一致しているときに着信状態であることを出力することを特徴とする請求項１記載の電話機。
【請求項４】
前記電話機本体は、呼出信号を送信するためのタイムスロットが他の無線機によって使用されているときに、基地局との通信のために使用するタイムスロットの変更を基地局に対して要求するスロット変更要求手段を含むことを特徴とする請求項１記載の電話機。
【請求項５】
前記送信手段は、呼出信号を連続的または断続的に送信し、
前記出力手段は、連続的な呼出信号に基づいて着信状態であることを連続的に、または断続的な呼出信号に基づいて着信状態であることを断続的に出力することを特徴とする請求項１記載の電話機。
【請求項６】
前記送信手段は、呼出信号を断続的に送信し、
前記出力手段は、断続的な呼出信号に基づいて、着信状態であることを連続的に出力することを特徴とする請求項１記載の電話機。
【請求項７】
前記電話機本体は、呼出信号の周波数を電話機に固有の値に設定する周波数設定手段を含むことを特徴とする請求項１記載の電話機。
【請求項８】
前記出力手段は、表示装置であることを特徴とする請求項１記載の電話機。
【請求項９】
前記出力手段は、振動発生装置であることを特徴とする請求項１記載の電話機。
【発明の詳細な説明】
【０００１】
【発明の属する技術分野】
本発明は、無線通信によって通信する携帯型の電話機に関する。
【０００２】
【従来の技術】
デジタルコードレス電話機などの無線通信によって通信する携帯型の電話機は、バッグなどに収納して携帯される場合があるが、この場合使用者は、電話機が基地局などからの呼出しを受けた着信状態を察知できないことがある。そこで、電話機本体と、該本体と分離可能な着信表示装置とで電話機を構成し、電話機本体は着信状態になったことを着信表示装置に通知し、着信表示装置はこれに応答して着信状態になったことを表示出力する技術が導入されており、使用者は電話機本体をバッグなどに収納し、電話機本体よりも軽量で小型の着信表示装置のみを身につけて携帯する。
【０００３】
このような技術の実現のために、電話機本体と着信表示装置との間で無線信号を授受するための送受信装置が設けられる。具体的には、電話機本体には、着信状態になったことを表す信号であって、着信表示装置を呼出すための呼出信号を送信する送信装置が設けられ、着信表示装置には前記呼出信号を受信する受信装置が設けられる。
【０００４】
このような技術は、たとえば特開平３−７８３４８号公報、特開平４−１９２９４５号公報、特開平４−２９３３３９号公報、特開平７−２７３８４３号公報および実用新案登録第３０２８４７８号公報に開示されている。
【０００５】
【発明が解決しようとする課題】
しかし、前記受信装置の受信感度を高くした場合、同様にして構成される他の電話機で使用される呼出信号を受信してしまうことがある。また、受信感度を低くした場合、他の電話機で使用される呼出信号の受信は低減するが、電話機本体と着信表示装置とが離れているときや両者の間に障害物があるときなどに呼出信号を受信できないという不都合が生じる。
【０００６】
また、前記実用新案登録第３０２８４７８号公報に開示される従来技術では、前記電話機の基地局などと電話機本体との間での無線通信のための送受信装置と、電話機本体と着信表示装置との間での無線通信のための送受信装置とを個別的に構成し、これによって上述したような不都合を解消しようとしているが、２つの送受信装置を要することから電話機が大型化するとともに、製造コストが高価となる。
【０００７】
本発明の目的は、所望の電話機本体からの呼出信号のみを確実に受信できる出力装置を備え、小型で安価な電話機を提供することである。
【０００８】
【課題を解決するための手段】
本発明は、着信時にリンクチャネルを確立し、キャリアセンスを実行して通信に用いるキャリアおよびタイムスロットを選択する時分割多元接続方式によって基地局と通信可能な電話機本体と、該電話機本体と無線通信可能な出力装置とを備える電話機において、
前記電話機本体は、
基地局からの呼出しを受けた着信状態を検出する検出手段と、
所定のタイムスロットを使用して基地局との間で通信信号の送受信が可能であり、かつ前記検出手段の出力に応答して、基地局間で使用しているタイムスロットとは異なるタイムスロットを用いて着信状態であることを示す呼出信号を送信する送信手段とを含み、
前記出力装置は、
呼出信号を受信する受信手段と、
受信した呼出信号に基づいて、電話機が着信状態であることを出力する出力手段とを含むことを特徴とする電話機である。
本発明に従えば、電話機本体は、基地局からの呼出しを受けると、リンクチャネルを確立し、キャリアセンスを実行して通信に用いるキャリアおよびタイムスロットを選択する時分割多元接続方式（略称ＴＤＭＡ）によって、基地局と通信し、出力装置に呼出信号を送信する。出力装置は、前記呼出信号を受信して電話機が着信状態であることを出力する。ここで、前記電話機本体は、基地局間で使用しているタイムスロットとは異なるタイムスロットを用いて呼出信号を送信するので、出力装置は電話機本体からの呼出信号を確実に受信することができる。また、電話機本体と出力装置との間の通信のための構成と、電話機本体と基地局との間の通信のための構成とを共有することができるので、小型で安価な電話機を提供できる。
【０００９】
また本発明は、前記電話機には、電話機を識別するための電話機識別情報が予め付されており、
前記電話機本体の送信手段は電話機識別情報を含む呼出信号を送信し、
前記出力装置は、
所定の電話機識別情報を設定する電話機識別情報設定手段と、
受信した電話機識別情報と、予め設定された電話機識別情報とが一致しているかどうかを判定する判定手段とを含み、
該出力装置の前記出力手段は、判定手段の判定結果に基づいて、電話機識別情報が一致しているときに着信状態であることを出力することを特徴とする。
本発明に従えば、電話機本体は、基地局からの呼出しを受けて電話機識別情報を含む呼出信号を送信する。出力装置は、前記呼出信号を受信して、受信した電話機識別情報と予め設定された電話機識別情報とが一致しているときに、電話機が着信状態であることを出力する。したがって、出力装置は所望の電話機本体からの呼出信号のみを確実に受信することができる。
【００１０】
また本発明は、前記出力装置には、出力装置を識別するための出力装置識別情報が予め付されており、
前記電話機本体は、
所定の出力装置の出力装置識別情報を設定する出力装置識別情報設定手段を含み、
該電話機本体の前記送信手段は、設定された出力装置識別情報を含む呼出信号を送信し、
前記出力装置は、
受信した出力装置識別情報と、予め付された出力装置識別情報とが一致しているかどうかを判定する判定手段を含み、
該出力装置の前記出力手段は、判定手段の判定結果に基づいて、出力装置識別情報が一致しているときに着信状態であることを出力することを特徴とする。
本発明に従えば、電話機本体は、基地局からの呼出しを受けて出力装置識別情報を含む呼出信号を送信する。出力装置は、前記呼出信号を受信して、受信した出力装置識別情報と予め設定された出力装置識別情報とが一致しているときに、電話機が着信状態であることを出力する。したがって、出力装置が複数ある場合であっても所望の出力装置のみが呼出信号を確実に受信することができる。
【００１１】
また本発明は、前記電話機本体は、呼出信号を送信するためのタイムスロットが他の無線機によって使用されているときに、基地局との通信のために使用するタイムスロットの変更を基地局に対して要求するスロット変更要求手段を含むことを特徴とする。
本発明に従えば、前記スロット変更要求手段からのタイムスロット変更の要求を受けた基地局は、電話機との通信のために使用するタイムスロットを変更する。このようにして前記電話機本体は、基地局間で使用しているタイムスロットとは異なるタイムスロットを用いて呼出信号を送信することができる。したがって、出力装置は電話機本体からの呼出信号を確実に受信することができ、小型で安価な電話機を提供できる。
【００１２】
また本発明は、前記送信手段は、呼出信号を連続的または断続的に送信し、
前記出力手段は、連続的な呼出信号に基づいて着信状態であることを連続的に、または断続的な呼出信号に基づいて着信状態であることを断続的に出力することを特徴とする。
本発明に従えば、呼出信号にしたがう連続的または断続的な特定の出力によって、使用者は着信状態であることを認識できる。
【００１３】
また本発明は、前記送信手段は、呼出信号を断続的に送信し、
前記出力手段は、断続的な呼出信号に基づいて、着信状態であることを連続的に出力することを特徴とする。
本発明に従えば、呼出信号が断続的であっても、連続的な出力によって、使用者は着信状態であることを認識できる。
【００１４】
また本発明は、前記電話機本体は、呼出信号の周波数を電話機に固有の値に設定する周波数設定手段を含むことを特徴とする。
本発明に従えば、電話機に固有の周波数を有する呼出信号を用いるので、出力装置は所望の電話機本体からの呼出信号を確実に受信することができる。
【００１５】
また本発明は、前記出力手段は、表示装置であることを特徴とする。
本発明に従えば、着信状態であることを表示出力できるので、使用者は表示を目視し、着信状態を認識することができる。このような表示による出力は、たとえば音響的に出力することが困難な場合などに有効である。
【００１６】
また本発明は、前記出力手段は、振動発生装置であることを特徴とする。
本発明に従えば、着信状態であることを振動で報知することができる。したがって、使用者は表示を目視して確認することなく、容易に着信状態を認識することができる。
【００１７】
【発明の実施の形態】
図１は、本発明の第１実施形態である電話機の電気的構成を示すブロック図である。該電話機は、着信時にリンクチャネルを確立し、キャリアセンスを実行して通信に用いるキャリアおよびタイムスロットを選択する時分割多元接続方式（略称ＴＤＭＡ）によって基地局との通信を確立し、たとえば電話回線を介して有線で基地局に接続される親機と、該親機と無線通信可能な子機とからなる電話装置の子機で実現される。本実施形態では、このような子機で実現した例について説明するが、基地局と無線で通信可能な電話機であってもかまわない。
【００１８】
本実施形態の電話機は、デジタルコードレス電話機などの無線通信によって、親機を介して基地局と通信する携帯型の電話機本体１ａと、該電話機本体１ａと分離可能な表示装置２ａとを含んで構成される。また、本実施形態では、電話機が基地局からの呼出しを受けたときに、上述のように電話機本体１ａから分離可能に構成された表示装置２ａに対して、電話機が着信状態であることを報知するために、電話機本体１ａから表示装置２ａに向けて通信可能に構成される。図１（Ａ）は、電話機本体１ａを示すブロック図であり、図１（Ｂ）は、表示装置２ａを示すブロック図である。
【００１９】
電話機本体１ａは、送受信部３、アンテナ４、通信部５、着信検出部６、着信通知部７、シーケンス管理部８、入出力部９、音声符号復号部１０、スピーカ１１、マイクロホン１２および電話機識別番号選択部１３を含んで構成される。表示装置２ａは、呼出信号受信部１４、アンテナ１５、判定部１６、電話機識別番号設定部１７および表示部１８を含んで構成される。
【００２０】
電話機本体１ａの送受信部３は、親機を介しての基地局へ通信信号や基地局からの通信信号、さらに表示装置２ａへの通信信号を、アンテナ４を介して送受信する。
【００２１】
通信部５は、電話機本体１ａの通信動作を統括的に制御する。具体的には、親機を介して基地局との間で通話を行うための通信手順を示すシーケンス信号の送受信動作、通話時の音声信号の送受信動作、および親機を介して基地局からの呼出しを表す着信信号を受けた着信時の所定信号、すなわち後述する呼出信号の送信動作を制御する。また、後述するシーケンス管理部８からのキャリアセンス要求に対して指定されたタイムスロットのキャリアセンスを行い、その結果をシーケンス管理部８に通知する機能も有する。
【００２２】
シーケンス管理部８には、受信したシーケンス信号が通信部５から入力されるとともに、送信すべきシーケンス信号が通信部５に向けて出力される。シーケンス管理部８は、入出力されるシーケンス信号にしたがって通信を確立し、通話可能な状態とする。基地局からの呼出しを受けて通話する着信通話時には、着信信号を受信した後、通信部５およびシーケンス管理部８間でシーケンス信号の授受が行われ、電話機から発呼して通話する発信通話時には、入出力部９からの発呼要求に基づいて発呼動作を行った後、通信部５およびシーケンス管理部８間でシーケンス信号の授受が行われる。
【００２３】
音声符号復号部１０は、通信部５から入力された音声信号を復号化してスピーカ１１に与え、該スピーカ１１は与えられた音声信号を音響化して出力する。また、マイクロホン１２で収集した音声信号を符号化して通信部５に向けて出力する。符号化および復号化は、たとえばＡＤＰＣＭ方式が採用される。
【００２４】
着信検出部６には、受信した着信信号が通信部５から入力され、該着信検出部６は自己の呼出しであるかどうかを判断し、判断が肯定であるときに着信信号を受信した着信状態であることをシーケンス管理部８および入出力部９に伝える。着信状態であることを認識した前記シーケンス管理部８は、着信状態であることを着信通知部７に伝える。入出力部９は表示機能を備え、着信状態であることを表示によって使用者に報知する。なお、音響出力機能を備える入出力部９であってもよく、この場合着信状態であることを音響的に報知することができる。
【００２５】
着信通知部７は、着信状態であることを認識すると、表示装置２ａに報知するために、表示装置２ａを呼出す呼出信号を予め定められる手順で作成し、通信部５に向けて出力する。呼出信号は、送受信部３に与えられ、アンテナ４を介して送信される。該呼出信号は、着信状態が終了したことがシーケンス管理部８から通知されるまで、すなわち基地局からの着信信号が途絶えるまで、送信し続けられる。
【００２６】
なお、本実施形態の電話機では、電話機を識別するための電話機識別番号が電話機毎に予め付される。具体的には、入出力部９からの入力に基づいて、電話機識別番号選択部１３で電話機識別番号が選択可能に構成される。前記着信通知部７が作成する呼出信号には、電話機識別番号が含まれる。
【００２７】
表示装置２ａの呼出信号受信部１４は、アンテナ１５を介して電話機本体１ａから送信された呼出信号を受信する。判定部１６は、電話機識別番号設定部１７に予め設定された電話機識別番号と、受信した呼出信号の電話機識別番号とが一致しているかどうかを判定する。そして、識別番号が一致していると判定されたときに表示部１８に電話機が着信状態であることを表示し出力する。該表示出力は、呼出信号の受信が途絶えるまで行われる。
【００２８】
なお、着信通知部７で作成されて送信される呼出信号は、連続的にあるいは断続的に送信するようにしてもかまわない。たとえば、着信信号が所定時間Ｔ１以上受信される場合、呼出信号を所定期間Ｔ２だけ送信した後、所定期間Ｔ３だけ停止し、以降、このような送信および停止を繰返して、断続的に送信することができる。Ｔ１，Ｔ２，Ｔ３は、たとえば１０秒、８秒および２秒にそれぞれ選ばれる。このようにして断続的に送信することによって、デジタルコードレス電話機の標準規格であるＲＣＲ−ＳＴＤ２８に定められている子機間の直接通話の呼出信号の送出時間の規格を満たすことができる。
【００２９】
このような断続的な呼出信号を受信した表示装置２ａでは、所定期間Ｔ２の表示後、所定期間Ｔ３の表示停止を繰返すこととなる。また、表示装置２ａにおいて、呼出信号が停止した期間Ｔ３においても表示を停止せずに継続するように定めておき、断続的な呼出信号を受信したときであっても、連続的に表示するようにしてもかまわない。
【００３０】
図２は、着信通話時の電話機本体１ａの動作を示すフローチャートであり、図３は、表示装置２ａの動作を示すフローチャートであり、図４は、シーケンスを示す図である。
【００３１】
ステップａ１で受信した着信信号Ｓ１を着信検出部６が検出すると、シーケンス管理部８に着信状態が通知され、シーケンス管理部８からリンクチャネル確立要求Ｓ２の送信が通信部５に対して指示される。ステップａ２では、該リンクチャネル確立要求Ｓ２が送信される。リンクチャネル確立要求Ｓ２とは、通信に使用するキャリアおよびタイムスロットを要求する信号である。なお、着信検出部６は着信状態を入出力部９にも通知する。着信状態であることを認識した入出力部９は、該状態を表示出力して使用者に報知する。
【００３２】
ステップａ３では、前記リンクチャネル確立要求Ｓ２に応答した基地局からのリンクチャネル割当信号Ｓ３を受信したかどうかを判断する。リンクチャネル割当信号Ｓ３とは、電話機からの要求に応えられる使用可能なキャリアおよびタイムスロットを指定する情報を含んだ信号である。
【００３３】
リンクチャネル割当信号Ｓ３を受信したステップａ４では、シーケンス管理部８がキャリアセンスを実行する。キャリアセンスの結果が良好な場合、シーケンス管理部８は指定されたキャリアおよびタイムスロットが使用可能であると判断する。そして、後述する呼出信号の送信に使用するキャリアおよびタイムスロットのキャリアセンスを行うように通信部５に指示する。ここで、呼出信号の送信に使用するキャリアを、電話機識別番号あるいはＰＳ（ユーザ）−ＩＤコードを元に一定のパターンで予め選定することによって、着信通知部７で受信する信号の種類を限定することができ、着信通知部７の消費電力を低減することができる。
【００３４】
ステップａ５では、電話機とリンクチャネル割当信号Ｓ３を送信した基地局との間で、リンクチャネル割当信号Ｓ３で指定されたキャリアおよびタイムスロットでの信号の送受信タイミングの同期を確立する。ステップａ６では、通信信号を誤りなく送受信するためのレイヤ２を確立する。これによって、無線区間での通信路の誤りが発生しても、再送制御によって電話機と基地局との間で送受信される情報を保証することができる。
【００３５】
ステップａ７では、シーケンス管理部８から着呼応答メッセージＳ４の送信が通信部５に指示され、該メッセージＳ４が送信される。着呼応答メッセージＳ４とは、着信に対する無線区間の応答であることを電話機から基地局に通知する信号である。
【００３６】
ステップａ８では、前記着呼応答メッセージＳ４に応答した基地局からの呼設定メッセージＳ５を受信したかどうかを判断する。着呼応答メッセージＳ４によって基地局は、電話機が通信可能な状態になったことを認識する。また、これに応答して送信される呼設定メッセージＳ５とは、発呼元の電話番号や音声通信であることを示す情報などを含んだ信号である。
【００３７】
呼設定メッセージＳ５を受信したステップａ９では、シーケンス管理部８から前記呼設定メッセージＳ５を受け付けたことを示す呼設定受付メッセージＳ６の送信が通信部５に指示され、該メッセージＳ６が送信される。
【００３８】
ステップａ１０では、前記呼設定受付メッセージＳ６に応答した基地局からの認証要求Ｓ７を受信したかどうかを判断する。認証要求Ｓ７とは、基地局からの呼出しに応答してきた電話機が通信ネットワーク上に存在する電話機であるかどうかを確認するための信号である。
【００３９】
認証要求Ｓ７を受信したステップａ１１では、シーケンス管理部８が予め定められる認証演算処理を実行する。ステップａ１２では、前記認証演算処理の結果を示す認証応答メッセージＳ８の送信がシーケンス管理部８から通信部５に指示され、該メッセージＳ８が送信される。シーケンス管理部８は、ステップａ１２までの動作を実行することによって、着信状態となる。
【００４０】
ステップａ１３では、シーケンス管理部８から着信通知部７に着信状態が通知される。ステップａ１４では、シーケンス管理部８から呼出メッセージＳ９の送信が通信部５に指示される。呼出メッセージＳ９とは、電話機が着信状態になったことを基地局に伝えるための信号である。
【００４１】
ステップａ１５では、電話機識別番号選択部１３で選択された電話機識別番号を用いて呼出信号Ｓ１０が作成される。ステップａ１６では、作成された呼出信号Ｓ１０が送信される。ここで、通信部５はステップａ４で呼出信号のために指定されたタイムスロット、すなわち基地局との間で指定されたタイムスロットとは異なるタイムスロットを用いて呼出信号Ｓ１０を送信する。
【００４２】
ステップａ１７では、該呼出信号Ｓ１０に対する応答があったかどうかが判断される。たとえば、入出力部９に所定の入力があったかどうかによって判断される。応答があったと判断されたステップａ１８では、応答メッセージＳ１１の送信がシーケンス管理部８から通信部５に指示され、該メッセージＳ１１が送信される。該応答メッセージＳ１１とは、通話可能な状態になったことを基地局に通知するための信号である。
【００４３】
ステップａ１９では、着信信号Ｓ１が受信されなくなった状態、すなわち着信状態の終了が、シーケンス管理部８から着信通知部７に通知される。ステップａ２０では、呼出信号Ｓ１０の送信が停止される。
【００４４】
次に図３を参照して、ステップｂ１で呼出信号Ｓ１０を受信したステップｂ２では、受信した呼出信号Ｓ１０に含まれる電話機識別番号と、電話機識別番号設定部１７に予め設定された電話機識別番号とが比較され、両者が一致しているかどうかが判定される。ステップｂ３で識別番号が一致していると判定されるとステップｂ４に進み、着信状態であることを表示部１８に表示出力して、動作を終了する。識別番号が一致していないと判定されると、なにも表示出力せずに動作を終了する。
【００４５】
上述した動作は、呼出信号Ｓ１０を送信するためのキャリアおよびタイムスロットが使用可能なときの動作である。次に、呼出信号Ｓ１０を送信するためのキャリアおよびタイムスロットが使用不可能なときの動作について、図５に示されるシーケンスを用いて説明する。
【００４６】
前述したのと同様にして、着信信号Ｓ１を受信し、リンクチャネル確立要求Ｓ２を送信し、リンクチャネル割当信号Ｓ３を受信した後のシーケンス管理部８でのキャリアセンスにおいて、その結果が不良であった場合、シーケンス管理部８は、指定されたタイムスロットおよびキャリアを他の電話機が使用していると判断する。そして、基地局に新たなタイムスロットの割当てを要求するリンクチャネル割当再要求Ｓ２ａの送信を通信部５に指示し、該再要求Ｓ２ａを送信する。さらに、該リンクチャネル割当再要求Ｓ２ａに応答した基地局からのリンクチャネル割当信号Ｓ３ａを受信する。
【００４７】
続いて前述したのと同様にして同期確立以降の動作を実行し、このようにして、呼出信号Ｓ１０を送信するためのキャリアおよびタイムスロットが使用不可能なときであっても、タイムスロットの変更を要求して、基地局との間で使用しているタイムスロットとは異なるタイムスロットを用いて呼出信号Ｓ１０を送信することができる。
【００４８】
図６は、前記呼出信号Ｓ１０の送信タイミングと、電話機と基地局との間で使用するタイムスロットとの関係を示す図である。デジタルコードレス電話機で採用されるシステムにおいては、電話機から基地局に対して、たとえば６２５μｓｅｃの所定期間Ｔ４毎の４つのタイムスロット２５ａ〜２５ｄの送信タイミング２５と、基地局から電話機に対して、たとえば６２５μｓｅｃの所定期間Ｔ５毎の４つのタイムスロット２６ａ〜２６ｄの送信タイミング２６とが交互に繰返され、電話機が送信しているときには基地局が受信し、基地局が送信しているときには電話機が受信するように構成される。また、電話機と基地局とが送信するタイムスロットは互いに４スロット分だけ離れたタイムスロットが使用される。
【００４９】
たとえば、基地局と電話機との間が着信状態となったときに、両者間で使用するスロットを第２番目のタイムスロット２５ｂ，２６ｂとした場合、電話機本体１ａが送信する呼出信号Ｓ１０のためのスロットとして、第４番目のタイムスロット２５ｄが使用される。このようなタイムスロットの使用方法によると、電話機本体１ａが基地局に対して送信する信号の送信タイミングと、表示装置２ａに対して送信する呼出信号Ｓ１０の送信タイミングとが異なることとなり、送受信部３は異なる時間帯で異なる相手先に対して信号を送信することができる。したがって、送受信部３を複数設ける必要がなくなり、安価な電話機を実現することができる。
【００５０】
以上のように第１実施形態によれば、電話機本体１ａは、基地局からの着信信号Ｓ１を受けて呼出信号Ｓ１０を送信する。表示装置２ａは、呼出信号Ｓ１０を受信して電話機が着信状態であることを表示出力する。ここで、電話機本体１ａは、基地局間で使用しているタイムスロットとは異なるタイムスロットを用いて呼出信号Ｓ１０を送信するので、表示装置２ａは電話機本体１ａからの呼出信号Ｓ１０を確実に受信することができる。また、電話機１ａと表示装置２ａとの間の通信のための送受信部と、電話機１ａと基地局との間の通信のための送受信部とを共有することができるので、小型で安価な電話機を提供できる。
【００５１】
また、電話機本体１ａは、電話機識別番号を含む呼出信号Ｓ１０を送信する。該呼出信号Ｓ１０を受信した表示装置２ａは、受信した電話機識別番号と予め設定された電話機識別番号とが一致しているときに、電話機が着信状態であることを出力する。したがって、表示装置２ａは所望の電話機本体１ａからの呼出信号Ｓ１０のみを確実に受信することができる。
【００５２】
また、表示装置２ａを携帯する使用者は、断続的なあるいは連続的な表示出力によって、着信状態であることを目視し認識することができる。このような表示による出力は、たとえば音響的に出力することが困難な場合などに有効である。また、表示装置２ａに代わって振動発生装置を用いて、着信状態であることを振動で報知してもかまわない。これによって、使用者は表示を目視して確認することなく、容易に着信状態を認識することができる。
【００５３】
また、電話機に固有の周波数を有する呼出信号Ｓ１０を用いることによって、表示装置２ａは所望の電話機本体１ａからの呼出信号Ｓ１０を確実に受信することができる。
【００５４】
図７は、本発明の第２実施形態である電話機の電気的構成を示すブロック図である。該電話機は、第１実施形態の電話機とほぼ同様にして、電話機本体１ｂと表示装置２ｂとを含んで構成される。電話機本体１ｂの構成は前記電話機本体１ａとほぼ同様であるが、表示装置識別番号選択部１９をさらに含むことを特徴とする。表示装置２ｂの構成は前記表示装置２ａとほぼ同様であるが、表示装置識別番号設定部２０をさらに含むことを特徴とする。
【００５５】
本実施形態の電話機では、表示装置を識別するための表示装置識別番号が表示装置毎に予め付されており、入出力部９からの入力に基づいて、表示装置識別番号選択部１９で所望の表示装置に付された識別番号が選択可能に構成される。前記着信通知部７は、選択された表示装置識別番号と、第１実施形態と同様にして選択された電話機識別番号とを含む前記呼出信号Ｓ１０を作成して出力する。
【００５６】
表示装置２ｂの判定部１６は、電話機識別番号設定部１７に予め設定された電話機識別番号と、受信した呼出信号Ｓ１０の電話機識別番号とが一致しているかどうかを判定する。さらに、表示装置識別番号設定部２０に予め設定された表示装置識別番号と、受信した呼出信号Ｓ１０の表示装置識別番号とが一致しているかどうかを判定する。そして、２つの識別番号がともに一致していると判定されたときに表示部１８に電話機が着信状態であることを表示出力する。
【００５７】
以上のように第２実施形態によれば、電話機本体１ｂは、着信信号Ｓ１を受けて電話機識別番号および表示装置識別番号を含む呼出信号Ｓ１０を送信する。表示装置２ａは、前記呼出信号Ｓ１０を受信して、受信した電話機識別番号と予め設定された電話機識別番号とが一致し、かつ受信した表示装置識別番号と予め設定された表示装置識別番号とが一致しているときに、電話機が着信状態であることを表示出力する。したがって、表示装置２ｂは所望の電話機本体１ｂからの呼出信号Ｓ１０のみを確実に受信することができる。また、表示装置２ｂが複数ある場合であっても所望の表示装置２ｂのみが呼出信号Ｓ１０を確実に受信することができる。
【００５８】
なお、電話機本体が着信信号Ｓ１を受けて表示装置識別番号を含む呼出信号Ｓ１０を送信し、該呼出信号Ｓ１０を受信した表示装置は、受信した表示装置識別番号と予め設定された表示装置識別番号とが一致しているときに、電話機が着信状態であることを表示出力するようにしてもかまわない。
【００５９】
図８は、前記呼出信号Ｓ１０の構成を示す図である。呼出信号Ｓ１０は、システム呼出符号２１、ＰＳ（ユーザ）呼出番号２２、ＰＳ（ユーザ）呼出符号２３および呼出情報２４を含んで構成される。システム呼出符号２１は、自営システムで使用される親機のＣＳ（網）−ＩＤコードであり、使用に際し、親機を登録するときに付される識別コードである。ＰＳ呼出番号２２は、表示装置を識別するための表示装置識別番号であり、任意の値が使用可能である。
【００６０】
前記ＰＳ呼出番号２２は、具体的に、たとえば図９（Ａ）に示されるように「００００」に続いて表示装置識別番号が配置されて構成される。このような構成は通常の構成であり、該構成の呼出信号Ｓ１０を受信した表示装置２ａ，２ｂでは、呼出信号Ｓ１０の受信にしたがって着信状態の表示を行う。すなわち、連続する呼出信号Ｓ１０にしたがって連続した表示が行われる。また、前述したように着信信号Ｓ１が所定時間Ｔ１以上受信される場合であって、呼出信号Ｓ１０を所定期間Ｔ２送信した後、所定期間Ｔ３停止し、以降、このような送信および停止を繰返して、断続的に送信された呼出信号Ｓ１０にしたがって、所定期間Ｔ２の表示後、所定期間Ｔ３の表示停止が繰返される。
【００６１】
また、前記ＰＳ呼出番号２２は、図９（Ｂ）に示されるように「０００１」に続いて表示装置識別番号が配置されて構成される。このような構成の呼出信号Ｓ１０を受信した表示装置２ａ，２ｂでは、たとえば前述したように断続的な呼出信号Ｓ１０によって表示および表示停止が繰返されるように設定されていたときであっても、前記期間Ｔ３において表示を停止しないように定めておくことができ、断続的な呼出信号Ｓ１０を受信したときであっても連続的な表示が可能となる。
【００６２】
ＰＳ呼出符号２３は、電話機を識別するための電話機識別番号であり、たとえば電話機のＰＳ（ユーザ）−ＩＤコードが格納される。呼出情報２４は、呼出信号Ｓ１０が、電話機本体１ａおよび表示装置２ａ間で用いられる信号であって、電話機本体１ａから表示装置２ａを呼出すための信号であることを示す情報である。
【００６３】
【発明の効果】
以上のように本発明によれば、基地局からの呼出しを受けて電話機本体が送信する呼出信号を、基地局間で使用しているタイムスロットとは異なるタイムスロットを用いて送信するようにしたので、出力装置は電話機本体からの呼出信号を確実に受信することができ、電話機本体と出力装置との間の通信のための構成と、電話機本体と基地局との間の通信のための構成とを共有して、小型で安価な電話機を提供できる。
【００６４】
また本発明によれば、電話機識別情報を用いるようにしたので、出力装置は所望の電話機本体からの呼出信号のみを確実に受信することができる。
【００６５】
また本発明によれば、出力装置識別情報を用いるようにしたので、出力装置が複数ある場合であっても所望の出力装置のみが呼出信号を確実に受信することができる。
【００６６】
また本発明によれば、スロット変更要求手段から基地局に電話機本体との通信のために使用するタイムスロットの変更を要求して、基地局間で使用しているタイムスロットとは異なるタイムスロットを用いて呼出信号を送信することができる。
【００６７】
また本発明によれば、使用者は、連続的または断続的な特定の出力によって、着信状態であることを認識できる。
【００６８】
また本発明によれば、電話機に固有の周波数を有する呼出信号を用いるようにしたのでので、出力装置は所望の電話機本体からの呼出信号を確実に受信することができる。
【００６９】
また本発明によれば、使用者は表示出力によって着信状態を目視し、認識することができる。
【００７０】
また本発明によれば、振動で着信状態を報知するようにしたので、使用者は目視して確認することなく、容易に着信状態を認識することができる。
【図面の簡単な説明】
【図１】本発明の第１実施形態である電話機の電気的構成を示すブロック図である。
【図２】着信通話時の電話機本体１ａの動作を示すフローチャートである。
【図３】着信通話時の表示装置２ａの動作を示すフローチャートである。
【図４】着信通話時の電話機のシーケンスを示す図である。
【図５】着信通話時であって、呼出信号Ｓ１０を送信するためのキャリアおよびタイムスロットが使用不可能であったときの電話機のシーケンスを示す図である。
【図６】呼出信号Ｓ１０の送信タイミングと、電話機と基地局との間で使用するタイムスロットとの関係を示す図である。
【図７】本発明の第２実施形態である電話機の電気的構成を示すブロック図である。
【図８】呼出信号Ｓ１０の構成を示す図である。
【図９】ＰＳ呼出番号２２の構成を示す図である。
【符号の説明】
１ａ，１ｂ  電話機本体
２ａ，２ｂ  表示装置
３  送受信部
４，１５  アンテナ
５  通信部
６  着信検出部
７  着信通知部
８  シーケンス管理部
９  入出力部
１０  音声符号復号部
１１  スピーカ
１２  マイクロホン
１３  電話機識別番号選択部
１４  呼出信号受信部
１６  判定部
１７  電話機識別番号設定部
１８  表示部
１９  表示装置識別番号選択部
２０  表示装置識別番号設定部
２１  システム呼出符号
２２  ＰＳ（ユーザ）呼出番号
２３  ＰＳ（ユーザ）呼出符号
２４  呼出情報
Ｓ１  着信信号
Ｓ１０  呼出信号
【図１】
0003599934.tif 000002
【図２】
0003599934.tif 000003
【図３】
0003599934.tif 000004
【図４】
0003599934.tif 000005
【図５】
0003599934.tif 000006
【図６】
0003599934.tif 000007
【図７】
0003599934.tif 000008
【図８】
0003599934.tif 000009
【図９】
0003599934.tif 000010